(57)【要約】【課題】  ヨーク表面の渦電流を低減させるとともに、高効率で特性ばらつきの小さいアキシャルギャップ型回転電機を提供することである。【解決手段】  アキシャルギャップ型回転電機は、周方向に配置された複数の磁石と、磁石の間で磁路を構成するヨークを備えた回転子と、回転軸方向にギャップを介して、回転子に対向して配置された固定子とを有し、ヨークは、第１のヨークと、導電率が第１のヨークより低い第２のヨークとを有し、磁石の面は、第１のヨークの固定子の側の面と接触するともに、第２のヨークの固定子の側の面と接触するように配置されている。【選択図】図１
2019161723.tif 000002
【特許請求の範囲】
【請求項１】
周方向に配置された複数の磁石と、前記磁石の間で磁路を構成するヨークを備えた回転子と、
回転軸方向にギャップを介して、前記回転子に対向して配置された固定子とを有し、
前記ヨークは、第１のヨークと、導電率が前記第１のヨークより低い第２のヨークとを有し、
前記磁石の面は、前記第１のヨークの前記固定子の側の面と接触するともに、前記第２のヨークの前記固定子の側の面と接触するように配置されていることを特徴とするアキシャルギャップ型回転電機。
【請求項２】
請求項１に記載のアキシャルギャップ型回転電機において、前記第１のヨークと前記第２のヨークとが対向する面には、絶縁層を配置したことを特徴とするアキシャルギャップ型回転電機。
【請求項３】
請求項１に記載のアキシャルギャップ型回転電機において、前記第２のヨークの前記固定子の側には、前記磁石の隣り合う磁極の境界が配置されたことを特徴とするアキシャルギャップ型回転電機。
【請求項４】
請求項１に記載のアキシャルギャップ型回転電機において、前記回転子の周方向に、円形の前記第２のヨークが配置されたことを特徴とするアキシャルギャップ型回転電機。
【請求項５】
請求項１に記載のアキシャルギャップ型回転電機において、前記回転子の径方向に、複数の前記第２のヨークが配置されたことを特徴とするアキシャルギャップ型回転電機。
【請求項６】
請求項１に記載のアキシャルギャップ型回転電機において、前記第２のヨークの前記固定子の側と反対の側の面は、開放されていることを特徴とするアキシャルギャップ型回転電機。
【請求項７】
請求項６に記載のアキシャルギャップ型回転電機において、前記第２のヨークは、前記回転子に設けられた貫通孔内に配置されたことを特徴とするアキシャルギャップ型回転電機。
【請求項８】
請求項３に記載のアキシャルギャップ型回転電機において、前記第１のヨークと前記第２のヨークとが対向する面は、複数の前記境界の間に配置したことを特徴とするアキシャルギャップ型回転電機。
【請求項９】
請求項１に記載のアキシャルギャップ型回転電機において、前記第１のヨークと前記磁石との間に接着層があり、前記第１のヨークは、回転軸と締結されていることを特徴とするアキシャルギャップ型回転電機。
【発明の詳細な説明】
【技術分野】
【０００１】
本発明は、回転電機に関し、特に、アキシャルギャップ型の回転電機に関する。
【背景技術】
【０００２】
アキシャルギャップ型回転電機は、円盤状の回転子と円筒状の固定子とが、回転軸方向から対向する構造をなしている。トルクを発生するギャップ面が、おおよそ径の２乗に比例して増加するため、特に、薄型形状の回転電機を小型、高効率化するために有効である。また、２枚の回転子で固定子を挟み込んだダブルロータ型のアキシャルギャップ型回転電機では、固定子コアを単純な柱状に構成できる。
【０００３】
特許文献１は、ロータの取り付け、及び永久磁石の交換を容易としたアキシャルギャップ型の回転電機を開示している。その中で、ロータに凹部を形成し、その凹部に、バックヨークを配置し、バックヨークの表面に磁石を配置した構造が開示されている。
【先行技術文献】
【特許文献】
【０００４】
【特許文献１】特開２０１２−１５２０２０号公報
【発明の概要】
【発明が解決しようとする課題】
【０００５】
ダブルロータ型のアキシャルギャップ型回転電機や、１枚の回転子と１つの固定子が対向したアキシャルギャップ型回転電機では、回転子の磁石背面に、ヨークを配置し、磁気回路を構成する。ヨーク内の磁束は、磁石による直流成分が主であるが、固定子鉄心との相互作用があるため交流成分も発生する。交流成分は、ヨーク表面に渦電流を発生させ、出力の低下や損失の増加すなわち効率の低下を招く。特に、上述したような単純な固定子鉄心では、周方向にみた固定子の磁気抵抗が大きな分布をもつため、ヨーク内の交流成分が増加し、効率の低下が顕著である。
【０００６】
特許文献１に記載の構造で、上記のヨーク表面の渦電流を低減させようとすると、凹部に配置したバックヨークとして、低導電率の材料を配置することが考えられる。しかしながら、その場合には、以下の課題がある。
【０００７】
回転軸に締結されたヨークが、低導電率ヨークの場合、磁石が回転軸方向に積層されるため、低導電率ヨークの厚み寸法のばらつき、および表面の凹凸や、接着剤などで生じる各部材間の隙間により、磁石と固定子鉄心との間の距離、すなわちギャップ長がばらつき易い。ギャップ長のばらつきは、モータ特性のばらつきや磁石と固定子との衝突の原因となる。
【０００８】
実際に利用されている低導電率ヨーク材には、電磁鋼板を周方向または径方向に積層したものや、絶縁コートした鉄粉を圧縮成型した圧粉磁心、導電率の低い磁性ＳＵＳ粉を圧縮成型して焼結したものなどがあるが、いずれも加工方法に起因し、回転軸方向の寸法精度は比較的低い。成型品の表面を追加工することで精度向上を図れるが、コストの増加を招く。
【０００９】
一方、回転軸方向の寸法精度を高めるため、高導電率のヨーク凹部の高さを、低導電率ヨークの厚みよりも大きくし、磁石が、ヨークに接するように構成することも可能である。ただし、この場合には、磁石と低導電率ヨークとの間に隙間が発生し、磁気抵抗が増加するため、モータ出力やモータ効率が低下する。
【００１０】
本発明の目的は、ヨーク表面の渦電流を低減させるとともに、特性ばらつきが小さく、高効率なアキシャルギャップ型回転電機を提供することである。
【課題を解決するための手段】
【００１１】
本発明の好ましい一例は、周方向に配置された複数の磁石と、前記磁石の間における磁路を構成するヨークを備えた回転子と、回転軸方向にギャップを介して、前記回転子に対向して配置された固定子とを有し、前記ヨークは、第１のヨークと、導電率が前記第１のヨークより低い第２のヨークとを有し、前記磁石の面は、前記第１のヨークの前記固定子の側の面と接触するともに、前記第２のヨークの前記固定子の側の面と接触するように配置されているアキシャルギャップ型回転電機である。
【発明の効果】
【００１２】
本発明によれば、ヨーク表面の渦電流を低減させるとともに、特性ばらつきが小さく、高効率なアキシャルギャップ型回転電機を得ることができる。
【図面の簡単な説明】
【００１３】
【図１】実施例１における回転電機の回転軸方向の構成図。
【図２】実施例１における回転電機の回転子の径方向の構成を示す図。
【図３】実施例２における回転電機を回転軸方向の構成図。
【図４】実施例２における回転電機の回転子の径方向の構成を示す図。
【図５】実施例３における回転電機の回転子の径方向を示し、磁石とヨークとの位置関係を説明する図。
【図６】実施例４における回転電機の回転子の径方向の構成を示す図。
【図７】実施例５における回転電機の回転子の径方向の構成を示す図。
【発明を実施するための形態】
【００１４】
以下、アキシャルギャップ型回転電機の実施例について図面を用いて説明する。
【実施例１】
【００１５】
図１は、実施例１における回転電機１の回転軸方向４０の構成図である。回転電機１は、固定子２と、この固定子２と回転軸方向４０に所定のギャップ長のギャップを介して配置された１対の回転子３で構成された２ロータ−１ステータ型のアキシャルギャップ型回転電機である。
【００１６】
固定子２は、固定子巻線２１が固定子鉄心２２外周を巻回したものを周方向に複数配置して構成され、絶縁樹脂が充填されてハウジング４に固定されている。固定子鉄心２２は、渦電流の発生を抑制するために、例えば、電磁鋼板やアモルファス箔帯などの磁性薄板の積層体、または絶縁コートした鉄粉を圧縮成形した圧粉磁心で構成されている。
【００１７】
回転子３は、回転軸５と締結されたヨークａ３１と、ヨークａ３１と異なる素材で構成されたヨークｂ３２と、磁石３３で構成されている。磁石３３は、リング状に成形されており、周方向に隣接する極が逆向きとなるよう回転軸方向４０に着磁されている。磁石３３は、ヨークａ３１の固定子２に対向する面、つまり固定子２側の面に接触して保持される。
【００１８】
ヨークｂ３２は、ヨークａ３１の回転軸方向４０に形成された貫通孔に配置され、磁石３３の背面に、ヨークｂ３２の固定子２側の面が接触して配置される。磁石３３を、ヨークａ３１の固定子２側の面に接触して保持した後、貫通孔からヨークｂ３２を、磁石３３と接触するまで差し込むことで、磁石３３とヨークｂ３２とを確実に接触できる。また、回転軸方向４０で、磁石３３の背面側と反対側のヨークｂ３２の面は、ヨークａ３１などと接触した構成ではない。つまり、空間のある開放した構成となっている。従って、ヨークｂ３２の厚み寸法のばらつき、および表面の凹凸は、開放された側では生じるが、ギャップ長のばらつきには影響を与えない。磁石３３の隣合う磁極は、互いに反対を向いており、ヨークａ３１、ヨークｂ３２は隣合う磁極間の磁路となる。ハウジング４には回転軸５が貫通する貫通孔が設けられ、貫通孔には軸受６が設けられている。回転軸５は、軸受６によって回転可能に保持する構造となっている。
【００１９】
図２は、実施例１による回転電機１の回転子３の径方向の構成を示す図である。径方向は、図２の一断面としての円形状の回転子３の直径の方向をいう。ヨークａ３１は、貫通孔が周方向４１に複数形成され、その貫通孔の側面とヨークｂ３２の側面を対向して配置し、側面間を接着することでヨークｂ３２を保持する構造となっている。ヨークｂ３２の素材は、導電率がヨークａ３１よりも小さい、例えば、電磁鋼板、圧粉磁心、電磁ＳＵＳ等で構成されている。一方、ヨークａ３１は、例えば、S45Cのような機械構造用炭素鋼や、SS400のような一般構造用圧延鋼材といった、導電率がヨークｂ３２より高く、磁性を持った、構造用材料で構成される。また、ヨークａ３１は、ヨークｂ３２に比較して、回転軸方向の寸法精度が高い。
【００２０】
以上の構造により、低導電率な素材のヨークｂ３２で構成された回転子３の電気抵抗は、増大し、回転子３に発生する渦電流を抑制できる。また、磁石３３が、ヨークａ３１に、接着剤の接着層を介して接着されている。そのため、ヨークｂ３２の厚み寸法のばらつきはギャップ長に影響を及ぼさない。ヨークｂ３２と磁石３３は、確実に接触して保持されるため、隙間により磁気抵抗が増加することもない。したがって、高効率で特性ばらつきを小さくできる。
【実施例２】
【００２１】
図３は、実施例２における回転電機１を回転軸方向４０の構成図を示す。図４は、回転電機１の回転子３の径方向の構成を示す図である。ヨークａ３１、または、ヨークｂ３２側面に絶縁層３４、例えば樹脂、セラミック、金属酸化物を形成する。
【００２２】
絶縁層３４により、ヨークａ３１、ヨークｂ３２間は電気的に絶縁される。回転子３の電気抵抗は、渦電流の流れるパスが狭い領域になるため、増大する。これにより、回転子３に発生する渦電流を抑制できる。
【実施例３】
【００２３】
図５は、実施例３における回転電機１の回転子３の径方向を示し、磁石３３とヨークａ３１、ヨークｂ３２との位置関係を説明する図を示す。磁石３３の磁極３３ａは、周方向４１に配置される。また、ヨークを通る磁束は、磁束方向３３ｂを向く。隣合う磁極３３ａ間の境界線が、回転軸方向に投影したとき、ヨークｂ３２が、隣合う磁極３３ａ間の境界線に重なるように配置されている。
【００２４】
ヨークａ３１、ヨークｂ３２の側面間は、側面間の隙間のためヨークａ３１、ヨークｂ３２よりも磁気抵抗が高い。実施例３では、ヨークａ３１、ヨークｂ３２が対向する側面間を、磁束密度の高い、隣合う磁極３３ａ間の磁路から離すように、前記複数の境界線の中央付近などの境界線間に配置している。これにより、ヨークａ３１、ヨークｂ３２の側面間で磁束が低減されることを防ぎ、出力トルクの低下を抑制できる。
【実施例４】
【００２５】
図６は、実施例４における回転電機１の回転子３の径方向の構成を示す図。ヨークａ３１に形成される貫通孔およびヨークｂ３２は、回転子３の径方向に、円形形状となる。
【００２６】
ヨークａ３１の貫通孔は、一般的な切削加工により形成できる。これにより、ヨークａ３１の製造コストを低減できる。また、ヨークｂ３２の圧縮成形加工において、一般的な切削加工により金型を製造でき、ヨークｂ３２を均一に加圧して加工できるので、ヨークｂ３２の製造コストを低減できる。
【実施例５】
【００２７】
図７は、実施例５における回転電機１の回転子３の径方向の構成を示す図。図７（ｂ）は、図７(ａ）よりも回転電機１の直径が大きいモデルの回転子３を示す。ヨークｂ３２は、回転子３の径方向に、２個以上設置可能な寸法とする。
【００２８】
ヨークｂ３２の回転子３に配置する個数を変えることで、ヨークｂ３２は、径の異なる回転子３に適用できる。これにより、ヨークｂ３２の種類数を削減して、製造コストを低減できる。
【００２９】
上記の実施例では、２ローター１ステータ型のアキシャルギャップ型回転電機の例で説明したが、１ローター１ステータ型など、その他のアキシャルギャップ型回転電機であっても適用できる。
【符号の説明】
【００３０】
１…回転電機、２…固定子、３…回転子、５…回転軸、６…軸受、２１…固定子巻線、２２…固定子鉄心、３１…ヨークａ、３２…ヨークｂ、３３…磁石、３４…絶縁層
【図１】
2019161723.tif 000003
【図２】
2019161723.tif 000004
【図３】
2019161723.tif 000005
【図４】
2019161723.tif 000006
【図５】
2019161723.tif 000007
【図６】
2019161723.tif 000008
【図７】
2019161723.tif 000009